(57)【要約】【課題】ウィッペンに対するブライドルテープの取付けおよび取外しを容易に行うことができ、それにより、アクションのメンテナンスや整調などを効率良く行うことができるアップライトピアノのブライドルワイヤーの取付構造を提供する。【解決手段】押鍵に伴って回動するウィッペン３に、離鍵時にハンマー９を引き戻すためのブライドルテープ１４に連結されたブライドルワイヤー１２を取り付けるアップライトピアノのブライドルワイヤーの取付構造であって、ウィッペン３は、前端部にワイヤー取付部３１を有し、ブライドルワイヤー１２は、ワイヤー取付部３１に着脱自在に取り付けられている。【選択図】図１
2008256787.tif 000002
【特許請求の範囲】
【請求項１】
押鍵に伴って回動するウィッペンに、離鍵時にハンマーを引き戻すためのブライドルテープに連結されたブライドルワイヤーを取り付けるアップライトピアノのブライドルワイヤーの取付構造であって、
前記ウィッペンは、前端部にワイヤー取付部を有し、
前記ブライドルワイヤーは、前記ワイヤー取付部に着脱自在に取り付けられていることを特徴とするアップライトピアノのブライドルワイヤーの取付構造。
【請求項２】
前記ブライドルワイヤーは、下端部にボルト部を有し、
前記ワイヤー取付部には、上下方向に貫通し、前記ボルト部が通されるボルト孔が形成されており、
前記ボルト部に螺合し、前記ワイヤー取付部をその上下から締め付ける上下２つのナットを、備えていることを特徴とする請求項１に記載のアップライトピアノのブライドルワイヤーの取付構造。
【請求項３】
前記ブライドルワイヤーが固定され、前記ワイヤー取付部に着脱自在に取り付けられるワイヤー固定部材を、備えていることを特徴とする請求項１に記載のアップライトピアノのブライドルワイヤーの取付構造。
【請求項４】
前記ワイヤー取付部は、前面に開口するねじ穴を有し、
前記ワイヤー固定部材は、前後方向に貫通するボルト孔を有しており、
前記ボルト孔に通されるとともに前記ねじ穴にねじ込まれ、前記ワイヤー固定部材を前記ワイヤー取付部に対して締め付けるボルトを、さらに備えていることを特徴とする請求項３に記載のアップライトピアノのブライドルワイヤーの取付構造。
【請求項５】
前記ワイヤー取付部および前記ワイヤー固定部材の一方は、係合凸部を有し、
前記ワイヤー取付部および前記ワイヤー固定部材の他方は、前記係合凸部に着脱自在に係合する係合凹部を有していることを特徴とする請求項３に記載のアップライトピアノのブライドルワイヤーの取付構造。
【請求項６】
前記ワイヤー取付部には、バックチェックワイヤーが立設されており、
前記ワイヤー固定部材は、
後方に開放し、前記ワイヤー取付部に嵌合する嵌合部と、
前記バックチェックワイヤーに係合するワイヤー係合部と、を有していることを特徴とする請求項３に記載のアップライトピアノのブライドルワイヤーの取付構造。
【発明の詳細な説明】
【技術分野】
【０００１】
本発明は、アップライトピアノのアクションに設けられ、離鍵時にハンマーを引き戻すためのブライドルテープに連結されたブライドルワイヤーを、ウィッペンに取り付けるブライドルワイヤーの取付構造に関する。
【背景技術】
【０００２】
従来の一般的なブライドルワイヤーの取付構造を有するアップライトピアノのアクションとして、特許文献１に開示されたものが知られている。図７に示すように、このアクション１は、鍵２の押鍵に伴って回動するウィッペン３と、バットフレンジ７に回動自在に支持された、ハンマー９と一体のバット８などを備えており、これらの部品は、鍵２ごとに設けられている。ウィッペン３の上面の前端部（同図の右端部）には、バックチェックワイヤー１１およびブライドルワイヤー１２が後ろ側から順に立設し、固定されている。また、バックチェックワイヤー１１の上端部には、バックチェック１３が固定され、ブライドルワイヤー１２の上端部には、ブライドルテープ１４が着脱自在に取り付けられている。
【０００３】
ブライドルテープ１４は、鍵２の押鍵に伴い、ウィッペン３を介して、図７の反時計方向にバット８と一体に回動するハンマー９を、弦Ｓの打弦後に引き戻すためのものであり、上述したように、ブライドルワイヤー１２を介して、ウィッペン３に取り付けられている。このブライドルテープ１４は、細長い布などで構成されており、その一端部が、バット８から前方に延びるキャッチャーシャンク１５とキャッチャー１６の間に接着されている。また、ブライドルテープ１４の他端部には、人工皮革などで構成された補強用のテープスキン１４ａが接着されている。
【０００４】
図８は、ブライドルワイヤー１２とブライドルテープ１４の連結構造および連結手順を示している。同図（ａ）に示すように、ブライドルワイヤー１２の上端部は、逆三角形状に折り曲げられた連結部１２ａになっており、連結部１２ａの先端部はさらに内側に折り曲げられている。一方、ブライドルテープ１４のテープスキン１４ａには、連結孔１４ｂが形成されている。そして、同図（ｂ）に示すように、ブライドルテープ１４は、テープスキン１４ａを連結部１２ａに挿入した後、連結部１２ａの先端部を連結孔１４ｂに通すことによって、ブライドルワイヤー１２に連結されている。
【０００５】
また、図７および図９に示すように、各ブライドルワイヤー１２の連結部１２ａは、バックチェック１３の下方に、かつ互いに隣接するバックチェックワイヤー１１、１１の間に配置されている。このため、ブライドルテープ１４は、キャッチャー１６から、バックチェックワイヤー１１、１１の間を通って前方に延び、ブライドルワイヤー１２に連結されている。
【０００６】
以上のようなアクション１を有するアップライトピアノでは、アクション１のメンテナンスや、鍵２およびアクション１が適正に動作するように調整するいわゆる整調などを行う際に、ブライドルテープ１４がブライドルワイヤー１２から取り外されることがある。これは、ブライドルテープ１４が取り付けられたままであると、例えば、ハンマー９を、バット８とともに回動させながら調整したり、バット８およびバットフレンジ７とともにセンターレール６から取り外したりする際に、ハンマー９の移動がブライドルテープ１４で規制されることによって、それらの作業の邪魔になるからである。このため、整調などの際には、ブライドルテープ１４は、ブライドルワイヤー１２から一旦、取り外され、その後再度、取り付けられる。
【０００７】
しかし、ブライドルワイヤー１２から取り外されると、ブライドルテープ１４は、図７の二点鎖線で示すように、キャッチャー１６から垂れ下がり、バックチェックワイヤー１１よりも奥側（図７の左側）に入り込みやすい。その場合には、ブライドルテープ１４を再度、取り付けるために、その先端部をバックチェックワイヤー１１よりも前方に引き出す必要があり、そのためには、隣接するバックチェックワイヤー１１、１１の間の非常に狭い隙間に指など入れなければならない。しかも、図９に示すように、バックチェックワイヤー１１、１１の間の前方には、ブライドルワイヤー１２が存在しているために、それが邪魔になり、ブライドルテープ１４を引き出し難い。加えて、テープスキン１４ａ、およびブライドルワイヤー１２の連結部１２ａのサイズがいずれも小さいため、両者１４ａ、１２ａを連結する作業も非常に行い難い。以上のように、ブライドルテープ１４をブライドルワイヤー１２から取り外すと、その後の両者１４、１２の連結作業が非常に煩雑であり、そのため、整調などの作業に手間がかかってしまう。
【０００８】
本発明は、以上のような課題を解決するためになされたものであり、ウィッペンに対するブライドルテープの取付けおよび取外しを容易に行うことができ、それにより、アクションのメンテナンスや整調などを効率良く行うことができるアップライトピアノのブライドルワイヤーの取付構造を提供することを目的とする。
【０００９】
【特許文献１】実公平１−１９１８４号公報
【発明の開示】
【課題を解決するための手段】
【００１０】
上記の目的を達成するために、請求項１に係る発明は、押鍵に伴って回動するウィッペンに、離鍵時にハンマーを引き戻すためのブライドルテープに連結されたブライドルワイヤーを取り付けるアップライトピアノのブライドルワイヤーの取付構造であって、ウィッペンは、前端部にワイヤー取付部を有し、ブライドルワイヤーは、ワイヤー取付部に着脱自在に取り付けられていることを特徴とする。
【００１１】
この構成によれば、押鍵に伴って回動するウィッペンが、前端部にワイヤー取付部を有しており、このワイヤー取付部に、ブライドルテープを連結したブライドルワイヤーが、着脱自在に取り付けられている。このため、ブライドルテープをブライドルワイヤーに連結したまま、ブライドルワイヤーを、ワイヤー取付部を介して、ウィッペンに着脱できるので、ブライドルテープをブライドルワイヤーに着脱する従来に比べて、ウィッペンに対するブライドルテープの取付けおよび取外しを容易に行うことができる。それにより、アクションのメンテナンスや整調などを効率良く行うことができる。また、ブライドルテープは、ブライドルワイヤーに連結されたままであるので、ブライドルワイヤーがワイヤー取付部から取り外された場合でも、アクションの奥側に入り込み難いという利点も得られる。
【００１２】
請求項２に係る発明は、請求項１に記載のアップライトピアノのブライドルワイヤーの取付構造において、ブライドルワイヤーは、下端部にボルト部を有し、ワイヤー取付部には、上下方向に貫通し、ボルト部が通されるボルト孔が形成されており、ボルト部に螺合し、ワイヤー取付部をその上下から締め付ける上下２つのナットを、備えていることを特徴とする。
【００１３】
この構成によれば、ブライドルワイヤーの下端部のボルト部が、ワイヤー取付部のボルト孔に通され、ボルト部に螺合する上下２つのナットにより、ワイヤー取付部がその上下から締め付けられている。これにより、ブライドルワイヤーは、ウィッペンにしっかりと取り付けられる。ブライドルワイヤーを取り外す場合には、下側のナットを回してボルト部から取り外し、ブライドルワイヤーをワイヤー取付部のボルト孔から引き抜くことにより、ブライドルワイヤーを容易に取り外すことができる。また、ブライドルワイヤーを再度、取り付ける場合には、上記と逆の手順で容易に取り付けることができる。
【００１４】
請求項３に係る発明は、請求項１に記載のアップライトピアノのブライドルワイヤーの取付構造において、ブライドルワイヤーが固定され、ワイヤー取付部に着脱自在に取り付けられるワイヤー固定部材を、備えていることを特徴とする。
【００１５】
この構成によれば、ブライドルワイヤーが固定されたワイヤー固定部材が、ウィッペンのワイヤー取付部に着脱自在であるので、ブライドルワイヤーをワイヤー取付部に直接、挿入して固定したり、その固定を解除して引き抜いたりする場合に比べて、ウィッペンに対するブライドルワイヤーの着脱作業を容易に行うことができる。
【００１６】
請求項４に係る発明は、請求項３に記載のアップライトピアノのブライドルワイヤーの取付構造において、ワイヤー取付部は、前面に開口するねじ穴を有し、ワイヤー固定部材は、前後方向に貫通するボルト孔を有しており、ボルト孔に通されるとともにねじ穴にねじ込まれ、ワイヤー固定部材をワイヤー取付部に対して締め付けるボルトを、さらに備えていることを特徴とする。
【００１７】
この構成によれば、ボルトを、ワイヤー固定部材のボルト孔に通すとともに、ワイヤ取付部のねじ穴にねじ込むことによって、ワイヤー固定部材をワイヤー取付部に対して締め付けるので、ブライドルワイヤーを、ワイヤー固定部材を介して、ウィッペンにしっかりと取り付けることができる。ブライドルワイヤーを取り外す場合には、ボルトを、ねじ込み時と反対方向に回し、ねじ穴から取り外すことにより、ブライドルワイヤーを、ワイヤー固定部材とともにウィッペンから容易に取り外すことができる。また、ブライドルワイヤーを再度、取り付ける場合には、上記と逆の手順で容易に取り付けることができる。
【００１８】
請求項５に係る発明は、請求項３に記載のアップライトピアノのブライドルワイヤーの取付構造において、ワイヤー取付部およびワイヤー固定部材の一方は、係合凸部を有し、ワイヤー取付部およびワイヤー固定部材の他方は、係合凸部に着脱自在に係合する係合凹部を有していることを特徴とする。
【００１９】
この構成によれば、ワイヤー取付部およびワイヤー固定部材の一方には係合凸部が、他方にはその係合凸部に着脱自在に係合する係合凹部が設けられているので、係合凸部と係合凹部を互いに係合させることにより、ワイヤー固定部材をワイヤー取付部に容易に取り付けることができ、また、係合凸部と係合凹部の係合を解除することにより、ワイヤー固定部材をワイヤー取付部から容易に取り外すことができる。このように、係合凸部と係合凹部の係合およびその解除を行うことにより、ボルトなどを用いることなく、ウィッペンに対するブライドルワイヤーの着脱を容易に行うことができる。
【００２０】
請求項６に係る発明は、請求項３に記載のアップライトピアノのブライドルワイヤーの取付構造において、ワイヤー取付部には、バックチェックワイヤーが立設されており、ワイヤー固定部材は、後方に開放し、ワイヤー取付部に嵌合する嵌合部と、バックチェックワイヤーに係合するワイヤー係合部と、を有していることを特徴とする。
【００２１】
この構成によれば、ウィッペンのワイヤー取付部に対し、後方に開放する嵌合部を介して、ワイヤー固定部材を前方から嵌合させるだけで、ワイヤー固定部材をワイヤー取付部に容易に取り付けることができる。この場合、ワイヤー固定部材とワイヤー取付部の嵌合に加えて、ワイヤー固定部材のワイヤー係合部が、ウィッペン側のバックチェックワイヤーに係合するので、ワイヤー固定部材をワイヤー取付部によりしっかりと取り付けることができる。また、ワイヤー固定部材を前方に引き抜くだけで、ワイヤー取付部から容易に取り外すことができる。以上のように、ワイヤー取付部に対するワイヤー固定部材の嵌合およびその解除を行うことにより、上記請求項５と同様、ボルトなどを用いることなく、ブライドルワイヤーの着脱を容易に行うことができる。
【発明を実施するための最良の形態】
【００２２】
以下、図面を参照しながら、本発明の好ましい実施形態を詳細に説明する。図１は、本発明の第１実施形態によるブライドルワイヤーの取付構造を有するアップライトピアノのアクション１を、離鍵状態において示している。なお、前述した従来と同じ構成部品については、同じ符号を付すものとする。
【００２３】
アクション１は、左右方向（図１の表裏方向）に並んだ多数の鍵２で構成された鍵盤２１の後端部（図１の左端部）の上方に配置されている。各鍵２は、前後方向（図１の左右方向）の中央において、筬２２に立設されたバランスピン２３に回動自在に支持されている。鍵２の上面の後端部には、キャプスタンボタン２４が突設されており、このキャプスタンボタン２４に、アクション１のウィッペン３が載置されている。
【００２４】
アクション１は、鍵２の押鍵に伴って回動するウィッペン３と、これに突設されたジャックフレンジ４を介して、ウィッペン３に回動自在に支持されたジャック５と、センターレール６にねじ止めされたバットフレンジ７に回動自在に支持され、ハンマー９と一体のバット８などを備えており、これらの部品が鍵２ごとに設けられている。ウィッペン３は、前後方向に延びており、その前部から下方に突出するヒール部３ａを介して、前記キャプスタンボタン２４に載置されている。また、ウィッペン３は、その後端部において、センターレール６にねじ止めされたウィッペンフレンジ２５の下端部に回動自在に支持されている。さらに、ウィッペン３の前端部（以下「ワイヤー取付部３１」という）には、従来と同様、バックチェックワイヤー１１が立設されており、加えて、このバックチェックワイヤー１１よりも前方に若干間隔を隔てて、ブライドルワイヤー１２が着脱自在に取り付けられている。なお、このブライドルワイヤー１２自体の構造、およびワイヤー取付部３１に対する取付構造については後述する。
【００２５】
ジャック５は、側面形状がＬ字状に形成され、その角部において、ジャックフレンジ４の上端部に回動自在に支持されている。バット８は、所定の厚さを有するブロック状に形成され、バットフレンジ７の上端部に回動自在に支持されている。
【００２６】
また、このバット８の上側および前側にはそれぞれ、ハンマー９およびキャッチャー１６が取り付けられている。ハンマー９は、バット８から上方に延びるハンマーシャンク９ａと、その上端部に取り付けられ、弦Ｓに対向するハンマーヘッド９ｂで構成されている。一方、キャッチャー１６は、バット８から前方に延びるキャッチャーシャンク１５を介して、その前端部に取り付けられている。そして、キャッチャー１６のキャッチャーシャンク１５との連結部分に、ブライドルテープ１４の一端部が接着されている。このブライドルテープ１４は、従来と同様、細長い布などで構成されている。また、ブライドルテープ１４の他端部は、ブライドルワイヤー１２の上端部に取り付けられている。
【００２７】
ウィッペン３のワイヤー取付部３１は、矩形状の断面を有している。前述したように、このワイヤー取付部３１には、所定の径を有するバックチェックワイヤー１１が、その下端部を埋設した状態で立設され、上端部にバックチェック１３が取り付けられている。図２は、図１の一点鎖線で示す円Ｃ内の拡大図であり、ワイヤー取付部３１の一部を破断して示している。同図に示すように、ワイヤー取付部３１は、上下方向に貫通し、ブライドルワイヤー１２を取り付けるためのボルト孔３１ａを有している。
【００２８】
図１および図２に示すように、ブライドルワイヤー１２は、前記バックチェックワイヤー１１よりも小さい径を有しており、下部の所定位置において若干屈曲している。その屈曲部よりも下側の部分には、長さ方向の全体にわたって雄ねじを形成したボルト部１２ａが設けられており、ワイヤー取付部３１のボルト孔３１ａに挿通されている。また、ボルト部１２ａには、上下２つのナット３２、３２が螺合しており、これらのナット３２、３２によって、ワイヤー取付部３１が上下から締め付けられている。これにより、ブライドルワイヤー１２は、ワイヤー取付部３１にしっかりと取り付けられている。なお、図示は省略するが、ブライドルワイヤー１２の上端部は、例えば、扁平に加工されたり、折り曲げ加工されたりしており、その上端部にブライドルワイヤー１２の他端部が接着などによって固定されている。
【００２９】
以上のように構成されたアクション１は、鍵２の押鍵および離鍵に伴い、次のように動作する。すなわち、図１の離鍵状態から鍵２が押鍵されると、鍵２にキャプスタンボタン２４を介して載置されたウィッペン３が上方に回動し、ウィッペン３とともに上昇するジャック５が、バット８を突き上げて同図の反時計方向に回動させることにより、ハンマー９が弦Ｓを打弦する。打弦後、ハンマー９は逆方向に復帰回動し、その際、キャッチャー１６がバックチェック１３に当接することによって、ハンマー９が静止する。その後、鍵２が離鍵されると、ウィッペン３の復帰回動に伴い、バックチェック１３がキャッチャー１６から離れる。これにより、ハンマー９は、キャッチャー１６とブライドルワイヤー１２の間に連結されたブライドルテープ１４により引き戻され、時計方向に回動することによって、離鍵状態に復帰する。
【００３０】
また、アクション１のメンテナンスや整調などを行う際には、ハンマー９の回動などがブライドルテープ１４で規制されないようにするために、ブライドルテープ１４をブライドルワイヤー１２から取り外す従来と異なり、ブライドルテープ１４を連結したたままのブライドルワイヤー１２をウィッペン３から取り外す。この場合、図１および図２に示す状態から、下側のナット３２を所定方向に回し、ブライドルワイヤー１２のボルト部１２ａから取り外した後、ブライドルワイヤー１２をワイヤー取付部３１のボルト孔３１ａから引き抜くことにより、ブライドルワイヤー１２をウィッペン３から容易に取り外すことができる。また、ブライドルワイヤー１２を再度、取り付ける場合には、上記と逆の手順で、ブライドルワイヤー１２をウィッペン３に容易に取り付けることができる。なお、上記ボルト孔３１ａの内面に雌ねじを形成し、その雌ねじにブライドルワイヤー１２のボルト部１２ａを螺合させるようにしてもよい。この場合には、上下２つのナット３２、３２を省略することができる。
【００３１】
以上のように、本実施形態によれば、ブライドルテープ１４をブライドルワイヤー１２に連結したまま、ブライドルワイヤー１２を、ワイヤー取付部３１を介して、ウィッペン３に着脱できるので、ブライドルテープ１４をブライドルワイヤー１２に着脱する従来に比べて、ウィッペン３に対するブライドルテープ１４の取付けおよび取外しを容易に行うことができる。それにより、アクション１のメンテナンスや整調などを効率良く行うことができる。また、ブライドルテープ１４は、ブライドルワイヤー１２に連結されたままであるので、ブライドルワイヤー１２がウィッペン３から取り外された場合でも、バックチェックワイヤー１１よりも後ろ側に入り込み難い。そのため、従来と異なり、隣接するバックチェックワイヤー１１、１１の間に指などを入れ、ブライドルテープ１４を引き出す必要がなく、整調などをより一層効率良く行うことができる。
【００３２】
図３は、本発明の第２実施形態によるブライドルワイヤーの取付構造を示している。本実施形態では、ウィッペン３のワイヤー取付部３１の前面に、ブライドルワイヤー１２の下端部を固定したワイヤー固定部材３３が着脱自在に取り付けられている。同図に示すように、ワイヤー取付部３１には、バックチェックワイヤー１１のみが、その下端部を埋設した状態で立設されている。また、ワイヤー取付部３１には、前面に開口するねじ穴３１ｂが形成されている。一方、ワイヤー固定部材３３は、所定サイズのブロック状に形成されている。このワイヤー固定部材３３には、ブライドルワイヤー１２が、その下端部を後述するボルト孔３３ａの付近まで埋設した状態で立設されている。また、ワイヤー固定部材３３には、前後方向に貫通する上記ボルト孔３３ａが形成されている。そして、ボルト３４が、ワイヤー固定部材３３の前方からボルト孔３３ａに挿入されるとともに、ねじ穴３１ｂにねじ込まれている。これにより、ワイヤー固定部材３３は、ボルト３４によって、ウィッペン３のワイヤー取付部３１に締め付けられている。
【００３３】
ブライドルワイヤー１２をウィッペン３から取り外す場合には、ボルト３４をねじ込み時と反対方向に回し、ねじ穴３１ｂから取り外すことにより、ブライドルワイヤー１２を、ワイヤー固定部材３３とともにウィッペン３から容易に取り外すことができる。また、ブライドルワイヤー１２を再度、取り付ける場合には、上記と逆の手順で容易に取り付けることができる。
【００３４】
以上のように、本実施形態によれば、ブライドルワイヤー１２が、ワイヤー固定部材３３を介して、ウィッペン３に着脱自在であるので、前述した第１実施形態と同様の作用、効果を得ることができる。
【００３５】
図４は、本発明の第３実施形態によるブライドルワイヤーの取付構造を、その取付け前後において平面的に示している。本実施形態は、前記第１および第２実施形態と異なり、ナットやボルトを用いることなく、ブライドルワイヤー１２がウィッペン３に着脱自在に構成されたものである。同図に示すように、このワイヤー取付部３１の左右の側面（同図の上下面）の所定位置にはそれぞれ、外方に向かって広がるテーパ状の係合凹部３１ｃ、３１ｃが左右対称に形成されている。一方、ブライドルワイヤー１２の下端部が固定されたワイヤー固定部材３５は、互いに左右方向に間隔を隔てて、後方に平行に延びる左右一対の側壁３５ａ、３５ａを有している。これらの側壁３５ａ、３５ａの間の距離は、ワイヤー取付部３１の左右方向の寸法よりも若干短くなっている。また、両側壁３５ａ、３５ａの内面の後端部（同図の左端部）には、互いに対向し、ワイヤー取付部３１の係合凹部３１ｃ、３１と相補的な形状を有する係合凸部３５ｂ、３５ｂが形成されている。
【００３６】
このように構成されたワイヤー固定部材３５は、ワイヤー取付部３１に前方からはめ込むことにより、これに容易に取り付けることができる。この場合、ワイヤー固定部材３５の左右の側壁３５ａ、３５がワイヤー取付部３１を左右から挟持するとともに、両係合凸部３５ｂ、３５ｂが両係合凹部３１ｃ、３１に係合し、これにより、ブライドルワイヤー１２は、ワイヤー固定部材３５を介して、ウィッペン３にしっかりと取り付けられる。また、ワイヤー固定部材３５をワイヤー取付部３１から前方に引き抜くことにより、ブライドルワイヤー１２をウィッペン３から容易に取り外すことができる。なお、ワイヤー取付部３１の係合凹部３１ｃと、ワイヤー固定部材３５の係合凸部３５ｂとの凹凸の配置を逆にすることも可能である。
【００３７】
以上のように、本実施形態によれば、前述した第１実施形態と同様の作用、効果を得ることができ、加えて、ナットやボルトを用いることなく、ワイヤー固定部材３５をワイヤー取付部３１に着脱できるので、ブライドルワイヤー１２の着脱をより一層容易に行うことができる。
【００３８】
図５は、本発明の第４実施形態によるブライドルワイヤーの取付構造を、その取付け前後において斜視的に示している。本実施形態も、第３実施形態と同様、ナットやボルトを用いることなく、ブライドルワイヤー１２がウィッペン３に着脱自在に構成されたものである。同図に示すように、このワイヤー取付部３１には、ワイヤー固定部材３６の後述する係合凸部３８と相補的な形状を有する係合凹部３１ｄが設けられている。この係合凹部３１ｄは、ワイヤー取付部３１の前面に開口するとともに、上面にスリット状に開口している。一方、ワイヤー固定部材３６は、ブロック状に形成され、ブライドルワイヤー１２の下端部が固定された固定部材本体３７と、この固定部材本体３７の背面に突設された係合凸部３８とを有している。この係合凸部３８は、円形の断面を有し、後端部が傘状に形成された凸部本体３８ａと、この凸部本体３８ａの前半部の上側と固定部材本体３７の背面の間に設けられた板状の係合片３８ｂとで構成されている。なお、凸部本体３８ａの後端部は、弾性を有しており、係合凹部３１ｄに対する係合凸部３８の係合およびその解除の際に、若干変形するようになっている。
【００３９】
このように構成されたワイヤー固定部材３６は、係合凸部３８を係合凹部３１ｄに前方から挿入し、係合させることにより、ワイヤー取付部３１に容易に取り付けることができる。この場合、係合凸部３８の凸部本体３８ａの後端部が、ワイヤー固定部材３６の抜け止めとして機能するとともに、係合片３８ｂが回り止めとして機能し、これにより、ブライドルワイヤー１２は、ワイヤー固定部材３６を介して、ウィッペン３にしっかりと取り付けられる。また、ワイヤー固定部材３６をワイヤー取付部３１から前方に引き抜くことにより、ブライドルワイヤー１２をウィッペン３から容易に取り外すことができる。以上のように、本実施形態によれば、前記第３実施形態と同様の作用、効果を得ることができる。なお、第３実施形態と同様に、係合凹部３１ｄと、係合凸部３８との凹凸の配置を逆にすることも可能である。
【００４０】
図６は、本発明の第５実施形態によるブライドルワイヤーの取付構造を、その取付け前後において斜視的に示している。本実施形態も、第３および第４実施形態と同様、ナットやボルトを用いることなく、ブライドルワイヤー１２がウィッペン３に着脱自在に構成されたものである。同図に示すように、このワイヤー取付部３１は、矩形の断面を有しており、第２〜第４実施形態と異なり、ねじ穴３１ｂや係合凹部３１ｃ、３１ｄなどは形成されていない。一方、ワイヤー固定部材３９は、ブロック状に形成されており、ワイヤー取付部３１に嵌合する嵌合部４０を有している。この嵌合部４０は、後方に開放するとともに矩形の断面を有する凹状に形成されており、その内側の上下左右の寸法がワイヤー取付部３１の外形のそれらよりも若干短くなっている。また、嵌合部４０の左右の側壁の上部には、前後方向に延びる左右一対のスリット４０ａ、４０ａが、上壁には、前後方向に延びるスリット４０ｂが形成されており、これらのスリット４０ａ、４０ｂはいずれも、後方に開放している。また、上壁のスリット４０ｂは、バックチェックワイヤー１１の径よりも小さい幅を有するとともに、中央にバックチェックワイヤー１１に係合するワイヤー係合部４０ｃを有している。
【００４１】
このように構成されたワイヤー固定部材３９は、嵌合部４０をワイヤー取付部３１に前方から嵌合させることにより、ワイヤー取付部３１に容易に取り付けることができる。この場合、左右のスリット４０ａ、４０ａがワイヤー取付部３１で若干押し広げられ、嵌合部４０の上壁および下壁などの復元力によって、ワイヤー固定部材３９がワイヤー取付部３１にしっかりと取り付けられる。また、上壁のスリット４０ｂのワイヤー係合部４０ｃがバックチェックワイヤ１１に係合することにより、ワイヤー固定部材３９が抜け止め状態で、ワイヤー取付部３１に取り付けられる。以上により、ブライドルワイヤー１２は、ワイヤー固定部材３９を介して、ウィッペン３にしっかりと取り付けられる。また、ワイヤー固定部材３９をワイヤー取付部３１から前方に引き抜くことにより、ブライドルワイヤー１２をウィッペン３から容易に取り外すこともできる。以上のように、本実施形態によれば、第３実施形態と同様の作用、効果を得ることができる。
【００４２】
なお、本発明は、上述した実施形態に限定されるものではなく、ブライドルワイヤー１２がウィッペン３に着脱自在に取り付けられる構造であれば、その他の取付構造を採用してもよい。また、ブライドルワイヤー１２とブライドルテープ１４との連結を、従来と同様の連結構造を採用することも可能である。また、実施形態で示したブライドルワイヤー１２、ブライドルテープ１４、ワイヤー取付部３１およびワイヤー固定部材３３、３５、３６、３９の細部の構成などは、あくまで例示であり、本発明の趣旨の範囲内で適宜、変更することができる。
【図面の簡単な説明】
【００４３】
【図１】本発明の第１実施形態によるブライドルワイヤーの取付構造を有するアップライトピアノのアクションを、離鍵状態において示す側面図である。
【図２】図１のウィッペンに対するブライドルワイヤーの取付構造を拡大して示す側面図である。
【図３】第２実施形態によるブライドルワイヤーの取付構造を拡大して示す側面図である。
【図４】第３実施形態によるブライドルワイヤーの取付構造について、（ａ）取付け前、（ｂ）取付け後を示す平面図である。
【図５】第４実施形態によるブライドルワイヤーの取付構造について、（ａ）取付け前、（ｂ）取付け後を示す斜視図である。
【図６】第５実施形態によるブライドルワイヤーの取付構造について、（ａ）取付け前、（ｂ）取付け後を示す斜視図である。
【図７】従来のウィッペンに対するブライドルワイヤーの取付構造を有するアップライトピアノのアクションを示す側面図である。
【図８】図７のブライドルワイヤーとブライドルテープの連結構造および連結手順を示す図である。
【図９】図７のアクションを前方から見たときのブライドルワイヤーの周囲を示す図である。
【符号の説明】
【００４４】
１    アクション
２    鍵
３    ウィッペン
９    ハンマー
１１    バックチェックワイヤー
１２    ブライドルワイヤー
１２ａ  ボルト部
１４    ブライドルテープ
３１    ワイヤー取付部
３１ａ  ボルト孔
３１ｂ  ねじ穴
３１ｃ  第３実施形態の係合凹部
３１ｄ  第４実施形態の係合凹部
３２    ナット
３３    第２実施形態のワイヤー固定部材
３３ａ  ボルト孔
３４    ボルト
３５    第３実施形態のワイヤー固定部材
３５ｂ  第３実施形態の係合凸部
３６    第４実施形態のワイヤー固定部材
３８    第４実施形態の係合凸部
３９    第５実施形態のワイヤー固定部材
４０    第５実施形態の嵌合部
４０ｃ  ワイヤー係合部
【図１】
2008256787.tif 000003
【図２】
2008256787.tif 000004
【図３】
2008256787.tif 000005
【図４】
2008256787.tif 000006
【図５】
2008256787.tif 000007
【図６】
2008256787.tif 000008
【図７】
2008256787.tif 000009
【図８】
2008256787.tif 000010
【図９】
2008256787.tif 000011